(57)【要約】【課題】情報受信者にとって必要な情報を容易かつ確実に取得することが可能なデータ変換システムを提供する。【解決手段】このデータ変換システム１０は、データを受信しようとするユーザが使用する携帯電話機２０１に送信される送信データの形式を、所定の形式に変換するように要求する変換要求情報を受け付ける要求受付部１０１と、送信データの変換対象となる部分を特定するための条件情報に基づいて、当該変換対象となる部分を変換対象データとして抽出する対象抽出部１０３と、当該抽出した変換対象データを、所定の形式の送信対象データに変換するデータ変換部１０４と、当該変換された送信対象データを、携帯電話機２０１に送信する送信部１０５とを備える。【選択図】  図１
2004341825.tif 000002
【特許請求の範囲】
【請求項１】
データを受信しようとするユーザが使用する受信端末に送信される送信データの形式を、所定の形式に変換するように要求する変換要求を受け付ける要求受付手段と、
前記送信データの変換対象となる部分を特定するための条件情報に基づいて、当該変換対象となる部分を変換対象データとして抽出する対象抽出手段と、
当該抽出した変換対象データを、前記所定の形式の送信対象データに変換するデータ変換手段と、
当該変換された送信対象データを、前記受信端末に送信する送信手段と、
を備えるデータ変換システム。
【請求項２】
前記要求受付手段は、前記所定の形式を特定するための形式情報の入力をさらに受け付け、
前記データ変換手段は、前記要求受付手段により受け付けられた形式情報によって特定される形式に基づいて、前記変換対象データを送信対象データに変換する、請求項１に記載のデータ変換システム。
【請求項３】
前記要求受付手段は、前記条件情報の入力をさらに受け付け、
前記対象抽出手段は、前記要求受付手段によって受け付けられた条件情報に基づいて、前記変換対象データを抽出する、請求項１又は２に記載のデータ変換システム。
【請求項４】
前記要求受付手段は、前記送信データを提供しようとするユーザの属するグループを特定するグループ情報をさらに受信し、
前記対象抽出手段は、前記条件情報に基づいて変換対象データを抽出した後、さらに、前記要求受付手段によって受け付けられたグループ情報で特定されるグループに対応する検索用キーワードに基づいて前記変換対象データを検索し、前記変換対象データに前記検索用キーワードが含まれている場合には、前記検索用キーワードから予測される重要データを前記変換対象データの中から抽出し、
前記データ変換手段は、変換対象データを前記所定の形式の送信対象データに変換した後、さらに、前記検索用キーワードに応じた定型データを前記送信対象データに付加する、請求項１〜３のいずれか１項に記載のデータ変換システム。
【請求項５】
前記対象抽出手段は、前記条件情報に基づいて変換対象データを抽出した後、さらに、前記変換対象データが文字データを含む場合には、特定の検索用記号に基づいて前記変換対象データを抽出する、請求項１〜４のいずれか１項に記載のデータ変換システム。
【発明の詳細な説明】
【０００１】
【発明の属する技術分野】
本発明は、データ変換システムに関するものである。
【０００２】
【従来の技術】
近年の携帯電話やインターネットの普及に伴い、電子データによる情報交換を通じて円滑なコミュニケーションを図るために、文字データや音声データのような伝達手段を相互に変換することに対するニーズが高まってきている。このような文字データと音声データを相互に変換する技術としては、送信元端末から送信された文字群あるいは音声を、音声信号あるいは文字信号に変換して送信先端末に送信するというものがある（例えば、特許文献１参照。）。
【０００３】
【特許文献１】
特開２００３−８６９１号公報
【０００４】
【発明が解決しようとする課題】
しかし、上記に示すような従来の技術においては、送信元端末から送信された文字群等を、音声認識等の技術を利用してそのまま変換するにとどまり、データ内容に応じて情報を加工するといったことは実現されていなかった。その結果、全体のデータが重要度に関係なく一様に変換されるため、情報の内容が全体として不明確となり、送信元端末から送信される情報によっては、情報伝達が困難になる場合があった。
【０００５】
そこで、本発明は、情報受信者にとって必要な情報を容易かつ確実に取得することが可能なデータ変換システムを提供することを目的とする。
【０００６】
【課題を解決するための手段】
本発明のデータ変換システムは、データを受信しようとするユーザが使用する受信端末に送信される送信データの形式を、所定の形式に変換するように要求する変換要求を受け付ける要求受付手段と、送信データの変換対象となる部分を特定するための条件情報に基づいて、当該変換対象となる部分を変換対象データとして抽出する対象抽出手段と、当該抽出した変換対象データを、所定の形式の送信対象データに変換するデータ変換手段と、当該変換された送信対象データを、受信端末に送信する送信手段とを備える。
【０００７】
本発明のデータ変換システムによれば、要求受付手段が受信端末から送信データの形式を変換する要求を受け付け、対象抽出手段が条件情報によって特定される変換対象データを抽出し、データ変換手段がその変換対象データを所定の形式に変換を行い、送信手段が変換された送信対象データを受信端末に送信する。これにより、変換要求者が必要に応じて変換されたデータ形式の情報を取得することが可能であると同時に、その際に、一部の変換対象データを抽出して変換することにより、必要なデータのみのデータ形式を変換することができる。
【０００８】
また、本発明のデータ変換システムでは、要求受付手段は、所定の形式を特定するための形式情報の入力をさらに受け付け、データ変換手段は、要求受付手段により受け付けられた形式情報によって特定される形式に基づいて、変換対象データを送信対象データに変換することも好ましい。この場合、要求受付手段が形式情報の入力を受け付け、データ変換手段がその形式情報に基づいてデータ形式を変換するので、変換要求者等が予め指定した形式に変換されたデータを受信することができる。
【０００９】
また、本発明のデータ変換システムでは、要求受付手段は、条件情報の入力をさらに受け付け、対象抽出手段は、要求受付手段によって受け付けられた条件情報に基づいて、変換対象データを抽出することも好ましい。このように、要求受付手段が条件情報の入力を受け付け、対象抽出手段がその形式情報に基づいて変換対象データを抽出するので、変換要求者等が予め指定した条件に適合する部分のみが変換されたデータを受信することができる。
【００１０】
また、本発明のデータ変換システムでは、要求受付手段は、送信データを提供しようとするユーザの属するグループを特定するグループ情報をさらに受信し、対象抽出手段は、条件情報に基づいて変換対象データを抽出した後、さらに、要求受付手段によって受け付けられたグループ情報で特定されるグループに対応する検索用キーワードに基づいて変換対象データを検索し、変換対象データに検索用キーワードが含まれている場合には、検索用キーワードから予測される重要データを変換対象データの中から抽出し、データ変換手段は、変換対象データを所定の形式の送信対象データに変換した後、さらに、検索用キーワードに応じた定型データを送信対象データに付加することも好ましい。この場合、要求受付手段が、データの提供先のグループに関するグループ情報を受信して、対象抽出が、そのグループ情報に対応して設定されたキーワードに基づいて重要データを判断して変換対象データから抽出し、データ変換手段は、そのキーワードに対応した定型データを送信対象データに加えて編集するので、変換要求者は、情報提供者のグループから判断される情報内容に対応した重要データが抽出された必要最小限の情報を受信することができる。
【００１１】
また、本発明のデータ変換システムでは、対象抽出手段は、条件情報に基づいて変換対象データを抽出した後、さらに、変換対象データが文字データを含む場合には、特定の検索用記号に基づいて変換対象データを抽出することも好ましい。これにより、対象抽出手段が、対象データが文字データの場合は検索用記号に基づいて変換対象データを抽出するので、情報提供者が意図した重要データを確実に抽出して送信することができる。
【００１２】
【発明の実施の形態】
本発明の実施形態にかかるデータ変換システムについて図面を参照して説明する。なお、各図において、同一要素には同一符号を付して重複する説明を省略する。
【００１３】
［第１実施形態］
図１は、本発明の第１実施形態にかかるデータ変換システムの構成図である。図１に示されるように、本実施形態にかかるデータ変換システム１０は、携帯電話機２０１、２０２と、メールサーバ３０と、移動体通信ネットワーク６０、６２、及びインターネット網６４を介してデータの送受信が可能なように接続されている。
【００１４】
携帯電話機２０１、２０２は、音声通話と共に文字データ、画像データ及び音楽データの送受信も可能な情報通信端末である。携帯電話機２０１は、データ変換システム１０からデータを受信しようとするユーザが使用する携帯電話機（受信端末）である。一方、携帯電話機２０２は、携帯電話機２０１に対して送信されるデータである送信データを提供するユーザが使用する携帯電話機（以下、「送信端末」と言う。）である。また、メールサーバ３０は、携帯電話機２０１に対して送信された電子メールを受信し、一時蓄積するための装置、いわゆるＰＯＰ（Ｐｏｓｔ  Ｏｆｆｉｃｅ  Ｐｒｏｔｏｃｏｌ）サーバ等のサーバ装置である。
【００１５】
データ変換システム１０は、送信データを所定の形式に変換するための装置である。データ変換システム１０は、物理的には、ＣＰＵ（中央処理装置）、メモリ、マウスやキーボードなどの入力装置、ディスプレイなどの表示装置、ハードディスクなどの格納装置などを備えたコンピュータシステムとして構成されている。データ変換システム１０の機能的な構成要素としては、図１に示すように、要求受付部１０１（要求受付手段）と、データ受信部１０２と、対象抽出部１０３（対象抽出手段）と、データ変換部１０４（データ変換手段）と、送信部１０５（送信手段）と、変換情報格納部１０６と、属性情報格納部１０７と、検索情報格納部１０８とを備えて構成される。
【００１６】
引き続いて、データ変換システム１０の各構成要素について詳細に説明する。
【００１７】
要求受付部１０１は、データを受信しようとするユーザが使用する携帯電話機２０１から、携帯電話機２０１に送信される送信データの形式を所定の形式に変換するように要求する、変換要求情報（変換要求）を受信して受け付ける部分である。ここで、変換要求情報には、送信データの中の変換対象となる部分を特定するための条件情報と、変換する所定の形式を特定するための形式情報と、携帯電話機２０１の電話番号とを含んでいる。要求受付部１０１は、変換要求情報に含まれる条件情報と形式情報を受信しそれらの入力を受け付けると、それらの情報を、変換情報格納部１０６に格納する。図２には、このようにして変換情報格納部１０６に格納されたデータの構成図の一例を示す。図２の例によれば、送信データの形式を電子メールに変換することを要求する旨の「電子メール」の形式情報と、携帯電話機２０１が音声通話を着信した場合の送信データ中に含まれる音声データを意味する「音声通話時における音声データ」の条件情報と、必要に応じて携帯電話機２０１のメールアドレス「ａｄｄｒｅｓｓ１」とが、携帯電話機２０１を特定するための電話番号である「０９０−ＸＸＸＸ−ＹＹＹＹ」に関連づけて格納されている。上記のメールアドレスは、携帯電話機２０１に対して変換後のデータを電子メールに添付して送信するための宛先情報である。
【００１８】
図１に戻って、さらに、要求受付部１０１は、携帯電話機２０１から、送信データを提供しようとするユーザの属するグループを特定するグループ情報と、そのユーザの名前とを、携帯電話機２０１の電話番号及びそのユーザの使用する携帯電話機２０２の電話番号とともに受信して受け付ける機能も有する。そして、要求受付部１０１は、受信したグループ情報とそのユーザの名前と携帯電話機２０１及び携帯電話機２０２の電話番号とを属性情報格納部１０７に格納する。図３には、このようにして属性情報格納部１０７に格納されたデータの構成図の一例を示す。図３の例によれば、携帯電話機２０２を使用するユーザのグループ情報である「会社」の情報と、そのユーザの名前「田中」とが、携帯電話機２０１の電話番号である「０９０−ＸＸＸＸ−ＹＹＹＹ」と、携帯電話機２０２の電話番号である「０９０−ＸＸＸ−ＺＺＺＺ」に関連づけて格納されている。
【００１９】
図１に戻って、データ受信部１０２は、携帯電話機２０２から携帯電話機２０１に対して送信される送信データを受信し、必要に応じてその送信データをデータ変換システム１０において認識可能なデータに復号化する部分である。なお、送信データとしては様々な形式のデータが受信可能である。受信可能なものとしては、例えば、音声データ、文字データ、画像データ、音楽データ及びこれらの任意の組み合わせが挙げられる。そして、データ受信部１０２は、復号化された送信データを携帯電話機２０１及び２０２の電話番号とともに対象抽出部１０３に出力する。
【００２０】
また、対象抽出部１０３は、変換情報格納部１０６に格納された携帯電話機２０１に関する条件情報に基づいて、送信データの中から変換対象となる部分を変換対象データとして抽出する部分である。図２の例によれば、携帯電話機２０１の条件情報として「音声通話時における音声データ」が指定されているので、対象抽出部１０３は、携帯電話機２０２と携帯電話機２０１との間で音声通話が行われている場合には、携帯電話機２０２から携帯電話機２０１に送信される送信データに含まれる音声データを抽出する。
【００２１】
さらに、対象抽出部１０３は、以下に述べる条件で変換対象データの抽出を行う機能も有する。この変換対象データの抽出は、検索情報格納部１０８に予め設定し格納された携帯電話機２０２を使用するユーザの属するグループに対応する検索用キーワードに基づいて、変換対象データである音声データ又は文字データを検索し、その検索用キーワードから予測される重要データを変換対象データの中から抽出することにより行う。
【００２２】
より詳細に説明すると、まず、対象抽出部１０３は、携帯電話機２０２を使用するユーザの属するグループを、属性情報格納部１０７に格納されたグループ情報を参照することにより取得する。図３の例によれば、携帯電話機２０１の電話番号及び携帯電話機２０２の電話番号に関連づけて格納されているグループ情報「会社」が、携帯電話機２０１を使用するユーザから見た、携帯電話機２０２を使用するユーザの属するグループであることがわかる。次に、対象抽出部１０３はこのグループ情報に基づいて検索情報格納部１０８を参照し、検索用キーワードと、そのキーワードから予測される重要データ項目と、そのキーワードに対応する定型データとを取得する。図４には、検索情報格納部１０８に格納されたデータの構成図の一例を示す。図４の例によれば、検索情報格納部１０８には、検索用キーワードである「打合せ」「時間」「変更」と、そのキーワードから予想される重要データ項目である「名前」「時刻情報」とが、そのキーワードに対応する定型データとともに、グループ情報である「会社」に関連づけて格納されている。これに基づいて、対象抽出部１０３は、グループ情報「会社」に対応する検索用キーワードとして「打合せ」「時間」「変更」というキーワードを取得する。その後、対象抽出部１０３は、これらのキーワードが、変換対象データに含まれているかどうかを判定する。全てのキーワードが変換対象データに含まれている場合には、そのキーワードから予測される重要データ項目が、「名前」と「時刻情報」であると判断する。これにより、対象抽出部１０３は、属性情報格納部１０７に格納された携帯電話機２０２を使用するユーザの名前である「田中」を第１の重要データとして取得すると同時に、変換対象データの中から時刻に関するデータを第２の重要データとして抽出する。
【００２３】
図１に戻って、最後に、対象抽出部１０３は、変換対象データとしての重要データと、その重要データを抽出する際に使用した検索用キーワードに対応する定型データと、携帯電話機２０１及び２０２の電話番号と、形式情報とをデータ変換部１０４に出力する。
【００２４】
また、データ変換部１０４は、このようにして抽出された変換対象データを、形式情報によって指定される形式に基づいて、携帯電話機２０１に送信する送信対象データに変換する部分である。まず、データ変換部１０４は、変換対象データと、検索用キーワードに対応する定型データとを、形式情報に従って、音声データ形式あるいは文字データ形式に変換する。その後、変換された定型データを変換された変換対象データに付加することにより送信対象データに変換する。図４の例によれば、定型データである“会社の「重要データ項目１」より。打合せは「重要データ項目２」からに変更。”が、変換対象データである重要データ“田中”と“１３時”に付加されることにより、“会社の田中より。打合せは１３時からに変更。”といった送信対象データが生成される。変換された送信対象データは、携帯電話機２０１の電話番号と形式情報とともに、送信部１０５に出力される。
【００２５】
また、送信部１０５は、データ変換部１０４から出力された送信対象データを携帯電話機２０１に送信する部分である。送信部１０５は、形式情報が「電子メール」である場合には、電子メールとして送信する機能も有する。電子メールの送信は、変換情報格納部１０６に格納された携帯電話機２０１のメールアドレスを宛先として、メールサーバ３０に対して、電子メールに必要なヘッダ情報を付加した後、送信対象データを添付して送信する。送信部１０５は、形式情報が「電子メール」以外の場合は、送信対象データを移動体通信ネットワーク６０を介して携帯電話機２０１に直接送信する。
【００２６】
続いて、本実施形態にかかるデータ変換システム１０の動作について説明し、併せて、本発明の実施形態にかかるデータ変換方法について説明する。図５及び図６は、第１実施形態にかかるデータ変換システム１０の動作を示す動作遷移図である。まず、図５を用いて携帯電話機２０１からデータ変換システム１０に変換要求情報を送信する際の動作について説明する。
【００２７】
まず、携帯電話機２０１から、形式情報及び条件情報を含む変換要求情報がデータ変換システム１０に対して送信される（ステップＳ０１）。送信された形式情報及び条件情報は、データ変換システム１０の要求受付部１０１において受信される（ステップＳ０１）。そして、形式情報及び条件情報は、要求受付部１０１により、携帯電話機２０１の電話番号に関連づけて変換情報格納部１０６に格納される（ステップＳ０３）。
【００２８】
また、携帯電話機２０１から、携帯電話機２０２を使用するユーザのグループを登録するために、携帯電話機２０２を使用するユーザの属するグループを特定するグループ情報が送信される（ステップＳ０４）。送信されたグループ情報は、データ変換システム１０の要求受付部１０１において受信される（ステップＳ０５）。そして、グループ情報は、要求受付部１０１により、携帯電話機２０１及び２０２の電話番号に関連づけて属性情報格納部１０７に格納される（ステップＳ０６）。
【００２９】
次に、図６を用いて携帯電話機２０２から送信された送信データがデータ変換システム１０により変換される際の動作について説明する。
【００３０】
まず、携帯電話機２０２から携帯電話機２０１に対する発信操作が行われると、移動体通信ネットワーク６２内の交換機（図示せず）により、移動体通信ネットワーク６０内の交換機（図示せず）に対して接続要求信号が送信される（ステップＳ０７）。これに対して、携帯電話機２０２が応答すると、移動体通信ネットワーク６０内の交換機から、移動体通信ネットワーク６２内の交換機に対して応答信号が返され、通話路が確立される（ステップＳ０８）。
【００３１】
その後、携帯電話機２０２から携帯電話機２０１へ音声データあるいは文字データを含む送信データが送信されると、移動体通信ネットワーク６２内の交換機の所定のルーティングにより、その送信データがデータ受信部１０２に送信される（ステップＳ０９）。そして、データ受信部１０２により、対象データが認識可能なデータとして復号化される（ステップＳ１０）。次に、対象抽出部１０３により、送信データの中から条件情報に基づいて変換対象データが抽出された後、さらに検索用キーワードを用いて、重要データが変換対象データとして抽出される（ステップＳ１１）。
【００３２】
次に、データ変換部１０４により、抽出された変換対象データと検索キーワードに対応する定型データが、形式情報に従ったデータ形式に変換される（ステップＳ１２）。さらに、データ変換部１０４により、変換された変換対象データが定型データの所定の位置に付加されることにより送信対象データが生成される（ステップＳ１３）。最後に、送信部１０５により、送信対象データが、形式情報に応じて、メールサーバ３０あるいは携帯電話機２０１に対して送信される（ステップＳ１４）。
【００３３】
以上述べた第１実施形態にかかるデータ変換システム１０によれば、要求受付部１０１が受信端末から送信データの形式を変換する要求を受け付け、対象抽出部１０３が条件情報によって特定される変換対象データを抽出し、データ変換部１０４がその変換対象データを所定の形式に変換を行い、送信部１０５が変換された送信対象データを受信端末に送信する。これにより、変換要求者が必要に応じて変換されたデータ形式の情報を取得することが可能であると同時に、その際に、一部の変換対象データを抽出して変換することにより、必要なデータのみのデータ形式を変換することができる。
【００３４】
［第２実施形態］
次に、本発明の第２実施形態について説明する。本実施形態におけるデータ変換システム１２の基本的構成は、第１実施形態におけるデータ変換システム１０の構成とほぼ同様であるので、各構成要素には同一の符合を付しその説明は省略すると共に、以下において第１実施形態との相違点について詳述する。
【００３５】
図７は、本発明の第２実施形態にかかるデータ変換システムの構成図である。本実施形態にかかるデータ変換システム１２と第１実施形態にかかるデータ変換システム１０との相違点は、送信データを提供する設備として音楽配信サーバ３２が選択されている点と、音楽配信サーバ３２からの送信データの送信は、データを受信しようとするユーザの携帯電話機２０１からの要求に伴い為される点である。以下、これらの相違点にかかる構成要素について説明する。
【００３６】
音楽配信サーバ３２は、携帯電話機２０１の要求に応じて、音楽データと、文字データあるいは音声データとを含む送信データを送信する設備である。音楽配信サーバ３２は、インターネット網６６を介して、データ変換システム１２と相互に通信することが可能なように構成されている。
【００３７】
データ変換システム１２におけるデータ受信部１２２は、携帯電話機２０１からの配信要求信号に対して音楽配信サーバ３２から送信される音楽データと、文字データあるいは音声データとを含む送信データを受信する部分である。データ受信部１２２は、受信した送信データを対象抽出部１２３に出力する。
【００３８】
これに対して、対象抽出部１２３は、データ受信部１２２より出力された送信データの中から、変換情報格納部１０６に格納された条件情報に基づいて変換対象データを抽出する。図８は、本実施形態における変換情報格納部１０６に格納されたデータの構成図の一例である。図８の例によれば、携帯電話機２０１に関する条件情報として「音楽データ受信時における文字データ」、形式情報として「音声データ」が登録されている。これに従って、対象抽出部１２３は音楽データを含む送信データの中から、文字データを変換対象データとして抽出する。その後、対象抽出部１２３は、変換対象データが文字データを含む場合には、特定の検索用記号に基づいて変換対象データをさらに抽出する。変換対象データの抽出は、“「」”、“『』”、“＜＞”、“≪≫”、“［］”等の特定の検索用記号を予め指定しておき、その検索文字データで囲まれた部分を抽出したり、検索用記号“＠”によりその前後の文字列を抜き出してメールアドレスを抽出したり、検索用記号“−”や“（）”によりその前後の連続する数字を抜き出して電話番号を抽出する等を行う。そして、最終的に抽出された変換対象データと、携帯電話機２０１の電話番号と、形式情報とをデータ変換部１２４に出力する。
【００３９】
また、データ変換部１２４は、形式情報によって特定される形式に基づいて変換対象データを送信対象データに変換する。変換後の送信対象データは、携帯電話機２０１の電話番号とともに送信部１０５に出力される。図８の例によれば、形式情報として「音声データ」が登録されており、この場合、データ変換部１２４は、変換対象データを音声データ形式に変換する。
【００４０】
続いて、第２実施形態にかかるデータ変換システムの動作について説明し、併せて、本発明の第２実施形態にかかるデータ変換方法について説明する。以下、図９及び図１０を参照して本実施形態におけるデータ変換システム１２の動作を説明する。図９は、携帯電話機２０１からデータ変換システム１２に変換要求情報を送信する際の動作を示す動作遷移図、図１０は、音楽配信サーバ３２から送信された送信データがデータ変換システム１２により変換される際の動作を示す動作遷移図である。図９に示すステップＳ２１〜Ｓ２３の各処理は、第１実施形態において詳述したステップＳ０１〜Ｓ０３の各処理（図５参照）と同一である。以下、図１０を参照して、第１実施形態とは異なるステップＳ２４〜ステップＳ２８の処理について説明する。
【００４１】
まず、携帯電話機２０１から音楽配信サーバ３２に対する音楽データの配信要求信号が送信される（ステップＳ２４）。これに対して、音楽配信サーバ３２から携帯電話機２０１に音楽データを含む送信データが送信されると、その送信データが、データ受信部１２２により受信される（ステップＳ２５）。次に、対象抽出部１２３により、送信対象データに含まれる文字データあるいは音声データが抽出された後、文字データの場合は検索用記号に基づいて変換対象データが抽出される（ステップＳ２６）。そして、データ変換部１２４により、抽出された変換対象データが、形式情報に従ったデータ形式の送信対象データに変換される（ステップＳ２７）。
【００４２】
最後に、送信部１０５により、変換された送信対象データが、携帯電話機２０１に対して送信される（ステップＳ２８）。
【００４３】
これにより、上記の第２実施形態においても、変換要求者が必要に応じて変換されたデータ形式の情報を取得することが可能であると同時に、重要データを抽出することにより、情報提供者が意図した重要データを確実に抽出して送信することができる。
【００４４】
上記第１実施形態及び第２実施形態にかかるデータ変換システムにおいては、送信データを提供する設備として、携帯電話機２０２と音楽配信サーバ３２が挙げられていたが、これは、ＰＨＳ、ＰＤＡ、留守番電話機能によって録音された音声データを蓄積する音声蓄積装置、画像データや動画データを配信する映像配信サーバ等の設備を使用しても良い。
【００４５】
また、上記第１実施形態にかかるデータ変換システム１０においては、対象データに含まれる音声データから変換対象データを抽出する方法として、検索用キーワードを用いて重要データ項目を判定していたが、これは、音声データにおける音声波形の特徴、周波数、波形の大きさ、速度、ポーズ（無音状態の長さ）等に基づいて重要データを判断して変換対象データを抽出しても良い。これは、例えば、音声波形の特定部分が、全体に比較して変化が大きいとか、周波数が全体の平均値と比較して低いとか、波形の大きさが全体の平均値に比較して大きいとか、波形の時間間隔が平均値と比較して大きいとか、ポーズが平均値と比較して長いとかに基づいて重要データを判断することが考えられる。
【００４６】
また、上記第１実施形態及び第２実施形態にかかるデータ変換システム１０においては、要求受付部１０１が、送信対象データを受信する携帯電話機２０１から、形式情報と条件情報を含む変換要求情報とグループ情報とを受信していたが、これは、任意の端末のＷＥＢブラウザから、インターネットを介してこれらの情報を受信するようにしても良い。
【００４７】
【発明の効果】
本発明のデータ変換システムによれば、受信端末から送信データの形式を変換する要求を受け付け、条件情報によって特定される変換対象データを抽出し、その変換対象データを所定の形式に変換を行い、変換された送信対象データを受信端末に送信する。これにより、変換要求者が必要に応じて変換されたデータ形式の情報を取得することが可能であると同時に、その際に、一部の変換対象データを抽出して変換することにより、必要なデータのみのデータ形式を変換することができる。その結果、情報受信者にとって必要な情報を容易かつ確実に取得することが可能なデータ変換システムを提供することができる。
【図面の簡単な説明】
【図１】本発明の第１実施形態にかかるデータ変換システムの構成図である。
【図２】図１の変換情報格納部に格納されたデータの構成図である。
【図３】図１の属性情報格納部に格納されたデータの構成図である。
【図４】図１の検索情報格納部に格納されたデータの構成図である。
【図５】第１実施形態にかかるデータ変換システムの動作を示す動作遷移図である。
【図６】第１実施形態にかかるデータ変換システムの動作を示す動作遷移図である。
【図７】本発明の第２実施形態にかかるデータ変換システムの構成図である。
【図８】図７の変換情報格納部に格納されたデータの構成図である。
【図９】第２実施形態にかかるデータ変換システムの動作を示す動作遷移図である。
【図１０】第２実施形態にかかるデータ変換システムの動作を示す動作遷移図である。
【符号の説明】
１０、１２…データ変換システム、３０…メールサーバ、３２…音楽配信サーバ、６０、６２…移動体通信ネットワーク、６４、６６…インターネット網、１０１…要求受付部、１０２…データ受信部、１０３、１２３…対象抽出部、１０４、１２４…データ変換部、１０５…送信部、１０６…変換情報格納部、１０７…属性情報格納部、１０８…検索情報格納部、２０１、２０２…携帯電話機。
【図１】
2004341825.tif 000003
【図２】
2004341825.tif 000004
【図３】
2004341825.tif 000005
【図４】
2004341825.tif 000006
【図５】
2004341825.tif 000007
【図６】
2004341825.tif 000008
【図７】
2004341825.tif 000009
【図８】
2004341825.tif 000010
【図９】
2004341825.tif 000011
【図１０】
2004341825.tif 000012